(57)【特許請求の範囲】
【請求項１】
パルスカーバであって、
二重駆動マッハツェンダモジュレータ（Mach Zehnder modulator, MZM）と、
２つの信号の電力平準化および位相補正を実行するための装置であって、前記装置は、
電力結合器として動作するように構成された第一ハイブリッドカプラと、
電力分割器として動作するように構成された第二ハイブリッドカプラとを有し、
前記装置は、前記第二ハイブリッドカプラへの入力として前記第一ハイブリッドカプラの出力を供給するように構成されるとともに、
前記装置は、前記MZMを駆動するために２つの信号を供給するように構成された、前記装置と、
を有するパルスカーバ。
【請求項２】
請求項１に記載のパルスカーバであって、前記第一ハイブリッドカプラは、２つの入力信号を加算するとともに前記２つの入力信号の和を前記第二ハイブリッドカプラへと出力するように構成されることを特徴とするパルスカーバ。
【請求項３】
請求項１または請求項２に記載のパルスカーバであって、前記第二ハイブリッドカプラは、入力信号を同じ強さの２つの出力信号へと分割するように構成されることを特徴とするパルスカーバ。
【請求項４】
請求項１から請求項３のいずれか一項に記載のパルスカーバであって、前記第一ハイブリッドカプラは、１８０°位相の異なる２つの入力信号を加算するように構成されることを特徴とするパルスカーバ。
【請求項５】
請求項１から請求項４のいずれか一項に記載のパルスカーバであって、前記第二ハイブリッドカプラは、入力信号を１８０°位相の異なる２つの信号へ分割するように構成されることを特徴とするパルスカーバ。
【請求項６】
請求項１から請求項５のいずれか一項に記載のパルスカーバであって、前記第一ハイブリッドカプラおよび前記第二ハイブリッドカプラの一方あるいは両方は、１８０°ハイブリッドカプラであることを特徴とするパルスカーバ。
【請求項７】
請求項１から請求項６のいずれか一項に記載のパルスカーバであって、前記第一ハイブリッドカプラおよび前記第二ハイブリッドカプラの一方あるいは両方は、ラットレースカプラであることを特徴とするパルスカーバ。
【請求項８】
パルスカーバの動作方法であって、
２つの信号の電力平準化および位相補正を実行するためのステップであって、前記ステップは、
前記２つの信号を入力として電力結合器として動作するように構成された第一ハイブリッドカプラへ供給するステップと、
前記第一ハイブリッドカプラの出力を電力分割器として動作するように構成された第二ハイブリッドカプラへ供給するステップと、
を有する、ステップと、
二重駆動マッハツェンダモジュレータ（MZM）を駆動するために前記２つの信号を使用するステップと、
を有する方法。
【請求項９】
請求項８に記載の方法であって、前記第一ハイブリッドカプラは、前記２つの信号を加算するとともに前記第二ハイブリッドカプラへ前記２つの信号の和を出力することを特徴とする方法。
【請求項１０】
請求項８または請求項９に記載の方法であって、前記第二ハイブリッドカプラは、前記第一ハイブリッドカプラの出力を分割するとともに同じ強さの２つの信号を出力することを特徴とすること特徴とする方法。
【請求項１１】
請求項８から請求項１０のいずれか一項に記載の方法であって、前記第二ハイブリッドカプラは、前記第一ハイブリッドカプラの出力を１８０°位相の異なる２つの信号へ分割することを特徴とする方法。
【請求項１２】
請求項８から請求項１１のいずれか一項に記載の方法であって、前記第一ハイブリッドカプラおよび前記第二ハイブリッドカプラの一方あるいは両方は１８０°ハイブリッドカプラであることを特徴とする方法。
【請求項１３】
請求項８から請求項１２のいずれか一項に記載の方法であって、前記第一ハイブリッドカプラおよび前記第二ハイブリッドカプラの一方あるいは両方はラットレースカプラであることを特徴とする方法。
【請求項１４】
ゼロ復帰（Return-to-Zero, RZ）データ信号を生成するトランスミッタであって、前記トランスミッタは、
搬送波信号を生成するためのソースと、
前記搬送波信号上へデータを符号化することによってデータ信号を生成するためのデータモジュレータと、
前記搬送波信号または前記データ信号のいずれかをRZ変調を実行するための請求項１に記載の前記パルスカーバと、
を有するトランスミッタ。
【請求項１５】
ゼロ復帰（RZ）データ信号を生成する方法であって、前記方法は、
搬送波信号上へデータを符号化するために前記搬送波信号の変調を実行することによってデータ信号を生成するステップと、
請求項８に記載の前記方法の動作をするパルスカーバを使用して前記搬送波信号または前記データ信号のいずれかのRZ変調を実行するステップと、
を有する方法。
【発明の詳細な説明】
【技術分野】
【０００１】
本発明は２つの信号の電力平準化および位相補正のための装置に関する。以下に限るわけではないが、特に、本発明は電力平準化と、直接強度変調（intensity modulation, IM）を供給する二重駆動マッハツェンダモジュレータ（Mach Zehnder modulator, MZM）を駆動するための不完全な差動信号の差動位相回復とのための装置に関する。
【背景技術】
【０００２】
位相偏移変調（Phase-shift keying, PSK）は、搬送波信号の位相を変化させることによってデータを伝達するデジタル変調技術である。本質的には、二進数（ビット）の符号化は、前記搬送波信号の位相の離散的な集合とシンボルとして知られる特定のパターンのビットとを関連付けることによって行われる。差動位相偏移変調では、ビットパターンの決定に、ある時点での実際の信号の位相ではなく連続的な信号の位相の変化が使用される。
【０００３】
二位相偏移変調(Binary phase-shift keying, BPSK)は、１８０°分離された２つの別の位相を利用する。しかしながら、この技術はシンボル毎に１ビットの符号化しか許されず（言い換えれば完全な波長ごとに合計２ビットを供給する）、またそのため高データレートのアプリケーションには適さない。四位相偏移変調（ＱＰＳＫ）は、４つの別の位相を使用しかつ、シンボルごとに２ビットの符号化を同相波（１/４波長毎に１つの、４つの別のビットが各シンボル内の前記第一のビットを表していることを意味している）と直角位相波の組み合わせによって行うことができ、前記同相波に関する１/４波長の位相変調を用いる（前記直角位相波はさらに４つの別のビットを意味し、各シンボル内の前記第二のビットを表している）。このように、ＱＰＳＫは、ＢＰＳＫと比較してデータレートを著しく増加させる。ＢＰＳＫもＱＰＳＫも共に、差動ＢＰＳＫ（ＤＢＰＳＫ）と差動ＱＰＳＫ（ＤＱＰＳＫ）とを構成するために差動ＰＳＫを使用して実現されてもよい。
【０００４】
先進変調フォーマットは、増加したスペクトル効率、高い受信感度および、波長分散特性と非線形効果への良い許容範囲を供給する能力のために光通信での重要性が増加している。特に、ゼロ復帰（return-to-zero, RZ）ＤＱＰＳＫは、非常に高いシステムパフォーマンス結果を供給すことを示している。
【０００５】
図１は、ＲＺ−ＤＱＰＳＫトランスミッタ１００を図式的に図示している。前記トランスミッタは、ソース１０１（例えばレーザーダイオード）、ＤＱＰＳＫモジュレータ１０２および、クロックソース１１０によって駆動されるパルスカーバ１０３を具備している。前記ＤＱＰＳＫモジュレータ１０２は、並列に配置された２つの位相モジュレータ１０５，１０６に供給する入力スプリッタ１０４および、出力カプラ１０７を具備している。前記位相モジュレータ１０５，１０６は、２つの入れ子状態のマッハツェンダモジュレータ（Mach-Zehnder Modulators, MZM）によって構成されることができる。前記ＤＱＰＳＫモジュレータ１０２の１つのアームには、さらに直角位相モジュレータ１０８が設けられる。前記ソース１０１は、スプリッタ１０４によって分割されかつ前記２つの位相モジュレータ１０５，１０６へ均等に分配される光学搬送波を生成する。前記位相モジュレータ１０５，１０６のそれぞれは、プリコーダ１０９によって生成された２つのバイナリ駆動信号のうちの１つによって駆動される。前記プリコーダ１０９は、前記関連する同相（Ｉ）および直角位相（Ｑ）の駆動信号へ符号化されることになる前記データストリームをコンバートするとともに、前記２つの位相モジュレータの内の１つはＩ駆動信号によって、同時にもう一方はＱ駆動信号によって駆動される。直交位相モジュレータ１０８は、互いに直交する２つの光学信号（例えば、分離したＩおよびＱの構成要素）の間でπ/２（９０°）の位相偏移を行う。２つの光学信号は、さらに非ゼロ復帰ＤＱＰＳＫ信号（non-return-to-zero (NRZ) DQPSK signal）の４つの位相偏移信号(例えば、π/4, 3π/4, 5π/4 および7π/4)のうちの１つを生成する前記出力カプラ１０７で結合される。
【０００６】
前記パルスカーバ（pulse carver）１０３は、前記ＮＲＺ−ＤＱＰＳＫ信号からカーブしたパルスを切り分ける（carve）ことによって、さらにＲＺ−ＤＱＰＳＫ信号を供給するために用いられる。前記パルスカーバ１０３は、前記ＤＱＰＳＫモジュレータの前に設置することもできる。一般的に、先進ＲＺ変調は、正弦波電気クロック信号を供給するクロックソースによって駆動するＭＺＭによって実装されたパルスカーバを必要とする。例えば、５０％のデューティ周期ＲＺは、Ｖπの頂点間振幅と、前記シンボルレート／データレート(例えばボーレートクロック)に対応する周波数と、π／２ラジアン（９０°）の位相オフセットとを伴った正弦波クロック信号を使用することで生成される。
【０００７】
二重駆動ＭＺＭパルスカーバにとって重要なことは、２つの電圧が同じ電力でかつ逆位相で２つのアームを駆動するということである。しかしながら、前記伝送構造の不完全な性質（例えばＲＦケーブル、コネクタおよびＰＣＢトラック）と、前記増幅器と、前記駆動電圧のソースとによって２つの駆動電圧の間の電力が不安定で歪み（例えば駆動波形の一時的なずれ）を生じる。これらの問題を緩和するために、送信器回路は、ＭＺＭパルスカーバのそれぞれのアーム上で差動増幅器、または増幅器が良く採用される。しかしながら、そのような能動装置を回路に導入することは費用が掛かる。
【発明の概要】
【発明が解決しようとする課題】
【０００８】
本発明の目的は、上記の問題を解決または少なくとも軽減する２つの信号の電力平準化および位相補正のための装置を提供することである。
【課題を解決するための手段】
【０００９】
本発明の１つの態様によれば、２つの信号の電力平準化および位相補正を実行するための装置が提供される。前記装置は、電力結合器として動作するように構成された第一ハイブリッドカプラと、電力分割器として動作するように構成された第二ハイブリッドカプラとを具備している。前記装置は、前記第一ハイブリッドカプラの出力を前記第二ハイブリッドカプラの出力として供給するように構成される。
【００１０】
前記第一ハイブリッドカプラは、２つの信号を加算するとともに、２つの信号の合計を前記第二ハイブリッドカプラへ出力するように構成することができる。前記第一ハイブリッドカプラは、１８０°位相の異なる２つの信号を加算するように構成することができる。前記第二ハイブリッドカプラは、信号を２つの同じ電力の出力信号に分割するように構成してもよい。前記第二ハイブリッドカプラは、信号を１８０°位相の異なる２つの信号に分割するように構成することができる。
【００１１】
前記第一ハイブリッドカプラと前記第二ハイブリッドカプラの一方または両方は、１８０°ハイブリッドカプラであることができる。前記第一ハイブリッドカプラと前記第二ハイブリッドカプラの一方または両方は、ラットレースカプラ（rat-race）であることができる。
【００１２】
本発明の別の態様によれば、２つの信号の電力平準化と位相補正を実行するための方法が提供される。前記方法は、前記２つの信号を電力結合器として動作するように構成された第一ハイブリッドカプラへ入力として供給する段階と、前記第一ハイブリッドカプラの出力を電力分割器として動作するように構成された第二ラットレースカプラへ供給する段階を有している。
【００１３】
前記第一ハイブリッドカプラは、前記２つの信号を加算するとともに前記加算されて２つの信号を第二ハイブリッドカプラへ出力することができる。前記第一ハイブリッドカプラは、１８０°位相の異なる２つの信号を合計することができる。前記第二ハイブリッドカプラは、前記第一ハイブリッドカプラの出力を分割するとともに、同じ電力の２つの信号を出力することができる。前記第二ハイブリッドカプラは、前記第一ハイブリッドカプラの出力を１８０°位相の違う２つの信号に分割することができる
【００１４】
前記第一ハイブリッドカプラと前記第二ハイブリッドカプラの一方、または両方は、１８０°ハイブリッドカプラであることができる。前記第一ハイブリッドカプラと前記第二ハイブリッドカプラの一方、または両方は、ラットレースカプラであることができる。
【００１５】
本発明のさらなる態様によれば、二重駆動マッハツェンダモジュレータ（ＭＺＭ）を有するパルスカーバと、本発明の第一の態様による装置であって、前記ＭＺＭの駆動のための２つの信号を供給するように構成された装置とが提供される。
【００１６】
本発明の別の態様によれば、パルスカーバの動作のための方法が提供される。本方法は、本発明の第二の態様の方法に従い、電力平準化と２つの信号の位相補正を実行するステップと、二重駆動マッハツェンダモジュレータ（ＭＺＭ）を駆動する前記２つの信号を使用するステップとを有する。
【００１７】
本発明のさらなる態様によれば、ゼロ復帰（ＲＺ）データ信号を生成するためのトランスミッタが提供される。前記トランスミッタは、搬送波信号を生成するためのソースと、前記搬送波信号上にデータを符号化することによってデータ信号を生成するためのデータモジュレータと、搬送波信号かデータ信号のどちらかのＲＺ変調を実行するための本発明の第三の態様によるパルスカーバとを有する。
【００１８】
本発明の別の態様によれば、ゼロ復帰データ信号を生成するための方法が提供される。前記方法は、前記搬送波上へデータを符号化するために搬送波の変調を実行するステップと、本発明の第四の態様の方法に従って動作するパルスカーバを使用して前記搬送波信号か前記データ信号のどちらかをＲＺ変調を実行するステップとを有している。
【００１９】
本発明のいくつかの実施形態は、添付の図面を参照して詳細に説明される。
【図面の簡単な説明】
【００２０】
【図１】図１は、ゼロ復帰差動直角位相偏移トランスミッタの例を図式的に図示したものである。
【図２】図２は、ハイブリッドリングカプラの例を図式的に図示したものである。
【図３Ａ】図３Ａは、１８０°電力分割器として動作するように構成されたラットレースカプラの例を図示したものである。
【図３Ｂ】図３Ｂは、同位相電力分割器として動作するように構成されたラットレースカプラの例を図示したものである。
【図３Ｃ】図３Ｃは、１８０°電力結合器として動作するように構成されたラットレースカプラの例を図示したものである。
【図３Ｄ】図３Ｄは、同位相電力結合器として動作するように構成されたラットレースカプラの例を図示したものである。
【図４】図４は、２つの信号の電力平準化および位相補正を実行するための装置を図示したものである。
【図５】図５は、パルスカーバとして動作する二重駆動ＭＺＭを駆動するために使用される２つの信号の電力平準化および位相補正を実行するプロセスを図示したフローチャートである。
【発明を実施するための形態】
【００２１】
２つのハイブリッドカプラの組み合わせは、電力平準化と２つの信号の歪み補正を実行するための手段を提供することができることが、認識されている。
【００２２】
ハイブリッドカプラは、電力結合および/または平準電力分割（３−ｄＢ）を実行することができる４ポートディレクショナルカプラであるとともに、９０°（角度）すなわち直角ハイブリッドと１８０°ハイブリッドの２種類に分類できる。９０°ハイブリッドカプラの入力のいずれか１つに印加された信号は、９０°位相の異なる２つの等振幅信号（例えば直角に分離されたもの）になる。９０°ハイブリッドカプラは２つの入力信号を加算するために使用することもできる。
【００２３】
１８０°ハイブリッドカプラは、入力ポートとして使用されるポートに依存して、入力を２つの同位相の等振幅の出力に分割するために、または入力を２つの１８０°位相の異なる等振幅の出力に分割するために使用することができる。１８０°ハイブリッドカプラは、前記２つの入力の和および差を同時に出力するために使用することもできる。
【００２４】
１８０°ハイブリッドリングまたはラットレースカプラは、２つの同位相の信号を加算するために、またはπラジアン（１８０°）の位相偏移をされた２つの信号を加算するために、または２つの出力の間に位相の違いが発生しないように入力信号を等しく分割するために、または２つの出力の間にπラジアン（１８０°）の位相の差があるように入力信号を等しく分割するために使用することができる４ポートディレクショナルカプラである。
【００２５】
図２はラットレースカプラを図式的に図示したものである。前記ラットレースカプラは、
【００２６】
【数１】
0005608810.tif 000002
【００２７】
波長（λ）の円周の長さの中央導電リング２００と、λ/４間隔で前記リングの上半分周辺に配置された、４つのアーム/ポート２０１、２０２、２０３、２０４とを有する。前記リングの下半分の長さは、３λ/４である。前記ポートと前記リングの接合部で、いずれか１つの前記ポートで発生する信号は、１つの成分は前記リングの周りを時計回りに巡回し、もう１つの成分は前記リングの周りを反時計回りに巡回する２つの等しい成分に分解される。
【００２８】
１つの信号しか供給されなかった場合、前記成分のそれぞれは、リングから前記信号の出力された場所から最も近い前記ポートへと巡回する。そのことにより、前記入力ポートに隣接したポートは、等しい電力の出力信号を供給する。しかしながら、前記入力ポートに依存して、前記信号は同位相になるかまたはπラジアン（１８０°）異なる位相になる。残った離れたポートでは、前記２つの成分はπラジアン（１８０°）異なる位相で到着したとき、前記離れたポートから出力は得られないような弱めあう干渉が発生する。そのため前記離れたポートは、隔離されたといわれる。そのため、このような構成の前記ラットレースカプラは電力分割器として動作する。
【００２９】
ラットレースカプラの別のポートに２つの入力が供給される場合、それらの入力のそれぞれは、前記リングの周りを別方向に巡回する２つの等しい成分に分割される。１つの前記中間のポートでは、第一の前記入力の１つの時計回りの成分は前記第二の入力の反時計回りの成分と出会う。別の前記中間のポートでは、前記第一の入力の反時計回りの成分は、前記第二の入力の時計回りの成分と出会う。前記中間のポートの１つでは、前記成分は同位相になるとともに、そのために前記２つの入力信号の和がそのポートで出力されるような、強め合う干渉が発生する。別の中間のポートでは、前記成分は異なる位相になるとともに、そのためにそのポートから何の出力も得られないような弱めあう干渉が発生する（例えば、前記ポートは隔離されている）。前記ポートが隔離されていることおよび前記ポートが和を出力することは、２つの信号が同位相かπラジアン（１８０°）位相が異なるかのどちらであるかに依存する。図３Ａから図３Ｄは、前記ラットレースカプラの４つの可能なポートの構成および前記結果により生じる出力を図示している。
【００３０】
図４は、２つのハイブリッドリングカプラ４０１，４０２を有する２つの信号の電力平準化および位相補正のための装置４００を図示したものである。前記第一ラットレースカプラ４０１は、２つの信号を加算するための電力結合器として動作するように構成される。前記第一ラットレースカプラは、前記第二ラットレースカプラ４０２の入力として出力を供給するようにも構成される。前記第二ラットレースカプラ４０２は、πラジアン（１８０°）位相の異なる等しい電力の２つの出力信号へ入力信号を分割する、電力分割器としても動作するように構成される。
【００３１】
図４に図示されるように、前記第一のラットレースカプラ４０１の約半分の位置に配置された前記第一のポート４０３には、入力として第一の前記２つの駆動信号(Vin-)が供給される。前記第二のポート４０４は、５０オームの抵抗を経て接地に接続される。前記第三のポート４０５には、第二の前記２つの駆動信号(Vin+)が入力として供給される。前記第四の、かつ最後のポート４０６は、前記第二ラットレースカプラ４０２の入力ポートに接続される。前記第一ラットレースカプラは、したがって、前記第一のポート４０３と前記第三のポート４０５との前記入力を加算するように構成され、この和は前記第四のポート４０６の出力(Vout1)となる。前記第三のポートは、隔離されている。
【００３２】
前記第二ラットレースカプラ４０２の約半分の位置に配置された前記第一のポート４０７には、前記第一ラットレースカプラの出力(Vout1)が入力として供給される。前記第二のポート４０８は、第一出力(Vout+)を供給する。前記第三のポート４０９は、５０オームの抵抗を経て接地に接続される。前記第四の、かつ最後のポート４１０は、第二出力(Vout-)を供給する。前記第二ラットレースカプラは、前記第一ポート４０７の前記第一ラットレースカプラから受信した前記入力(Vout1)を等しく分割し、分割された信号のそれぞれは、前記第二のポート４０８および前記第四のポート４１０それぞれの出力となる。前記第三のポート４０９は隔離されている。
【００３３】
等しい電力かつ逆位相を持つ２つの信号（例えば、完全な差動信号）が供給された場合に前記二重ラットレース構造の前記動作を考慮すると、これらの信号は以下のように表される。
【００３４】
【数２】
0005608810.tif 000003
【００３５】
ここで、Vは
【００３６】
【数３】
0005608810.tif 000004
【００３７】
であるような信号の振幅であり、ωは角振動数であり、θは
【００３８】
【数４】
0005608810.tif 000005
【００３９】
であるような位相である。ここで、これらの２つの信号は、前記第一ラットレースカプラの前記第一のポート４０３および前記第三のポート４０５への入力として供給されるとき、前記第一ラットレースカプラ４０１は、前記第四のポート４０６に前記２つの信号の和を出力する。
【００４０】
【数５】
0005608810.tif 000006
【００４１】
この出力信号は、前記第二ラットレースカプラ４０２の前記第一のポート４０７への入力として供給される。前記第二ラットレースカプラ４０２は、前記信号の等振幅で逆位相の２つの信号への３ｄＢの分割を実行し、その結果前記第二のポート４０８および第四のポート４１０の前記出力は次のように得られる。
【００４２】
【数６】
0005608810.tif 000007
【００４３】
ここで、
【００４４】
【数７】
0005608810.tif 000008
【００４５】
である不完全な差動信号が供給される場合前記二重ラットレース構造の前記動作を考慮すると、前記第四のポート４０６からの前記第一ラットレースカプラ４０１の前記出力は、次のようになる。
【００４６】
【数８】
0005608810.tif 000009
【００４７】
ここで、Vsum は、前記２つの信号のバランス状態の成分の和である。前記２つの信号の前記アンバランス状態の振幅および位相の成分は、隔離されたポート４０４によって接地へ流れる。前記出力信号は、さらにまた入力として前記第一のポート４０７によって前記第二ラットレースカプラ４０２へ供給される。前記第二ラットレースカプラ４０２は、前記信号の等振幅で逆位相な２つの信号への３ｄＢの分割を実行し、その結果前記第二のポート４０８および前記第四のポート４１０上の前記出力は、次のように与えられる。
【００４８】
【数９】
0005608810.tif 000010
【００４９】
【数１０】
0005608810.tif 000011
【００５０】
の前記アンバランス状態の成分は、フィルタされ接地へ流れるため、最終的な出力電力は、２つのバランス状態の差動信号を使用して生成される場合よりも低くなる。しかしながら、これらの出力は、等振幅かつπラジアン（１８０°）位相の異なる出力である。この二重ラットレース構造は、そのため、高周波数の差動信号の電力平準化と位相補正を供給し、その結果、入力信号間の完全ではない１８０°位相の差異は、前記出力において補正されるとともに前記２つの出力の電力は操作上の帯域幅の範囲内で平均される。これは特に、ＲＺ変調のためにパルスカーバを駆動するために高周波数の差動信号が必要になる４０Ｇｂｐｓおよび１００ＧＢＰＳの光学伝送システムにとって重要なことである。前記パルスカーバ１０３は、そのため、電力平準化とクロックソース１１０から受信した前記駆動信号の差動位相回復とを実行するための装置４００も有する。
【００５１】
さらにまた、この二重駆動ラットレース構造は、パッシブ状態であるとともに、伝送線の一部として配置され、そのため電力平準化と歪み補正のための増幅器を使用した回路と比較すると部品製造のコストを著しく減少させる。加えて、今でも回路上に差動増幅器またはパルスカーバのアームそれぞれに増幅器を用いることによる製造コスト削減処置がとられているが、増幅器は前記第一ラットレースカプラと前記第二ラットレースカプラの間のトラック上に形成することもできる。
【００５２】
図５は、パルスカーバとして二重駆動ＭＺＭが駆動するために使用される２つの信号の電力平準化および位相補正を処理するプロセスを図示したフローチャートである。実行されるステップは以下の通りである。
【００５３】
Ａ１：クロックソースは２つの駆動信号を生成する。しかしながら、前記２つの駆動信号は、それらは等しい電力ではなくかつ正確に位相が１８０°異なってもいないため、それらが使用される前に電力平準化と位相補正が必要となる。
Ａ２：前記第一のポート４０３と前記第三のポート４０５に、電力結合器として動作するように構成された第一ラットレースカプラ４０１の入力として、前記駆動信号は供給される。
Ａ３：前記第一ラットレースカプラ４０１は、前記２つの駆動信号のバランス状態の成分を加算する。前記２つの駆動信号のアンバランス状態の振幅および位相の成分は、前記隔離されたポート４０４を通じて接地へ流れる。
Ａ４：前記第一ラットレースカプラ４０１は、前記第四のポートに、前記第二ラットレースカプラ４０２の入力として前記バランス状態の成分の和を出力する。
Ａ５：前記第二ラットレースカプラ４０２は、等しい電力でπラジアンだけ位相の異なる２つの出力信号へ前記前記入力信号を分割する。
Ａ６：前記第二ラットレースカプラ４０２は、前記第二のポート４０８および前記第四のポート４１０それぞれに前記２つの出力信号を出力する。
Ａ７；前記２つの駆動信号は、この時、等しい電力で１８０°位相の異なるような歪みの無い状態であり、パルスカーバとして動作する二重駆動ＭＺＭを駆動するために使用される。
【００５４】
本発明は上述のように好ましい実施形態に関して記載されたが、これらの実施形態は例示のみであることが理解されるべきである。当業者は、添付の請求の範囲に含まれるものとして考慮される記載の見地から修正および変更が可能である。例えば、上記の実施形態が２つのラットレースカプラを使用するとはいえ、電力結合器として動作するとともに第二ハイブリッドカプラの入力としてその出力を供給するように構成された第一ハイブリッドカプラと、入力を等振幅の出力へ分割するための電力分割器として動作するように構成された前記第二ハイブリッドカプラによって供給されるどんな２つのハイブリッドカプラを使用しても、前記発明の目標は実現可能である。本明細書中に記載または図示された各特徴は、ここに記載または図示された他のいくつかの特徴を単独あるいはどのように適切に組み合わせたにせよ、発明の範囲に取り入れられる。
【符号の説明】
【００５５】
１００  ＲＺ−ＤＱＰＳＫトランスミッタ
１０１  ソース
１０２  ＤＱＰＳＫモジュレータ
１０３  パルスカーバ
１０４  スプリッタ
１０５、１０６  位相モジュレータ
１０７  カプラ
１０８  直角位相モジュレータ
１０９  プリコーダ
１１０  クロックソース
２００  中央導電リング
２０１、２０２、２０３、２０４  アーム/ポート
４００  ２つの信号の電力平準化および位相補正のための装置
４０１、４０２  ハイブリッドリングカプラ
４０３、４０４、４０５、４０６、４０７、４０８、４０９、４１０  ポート
【図２】
0005608810.tif 000012
【図４】
0005608810.tif 000013
【図１】
0005608810.tif 000014
【図３Ａ】
0005608810.tif 000015
【図３Ｂ】
0005608810.tif 000016
【図３Ｃ】
0005608810.tif 000017
【図３Ｄ】
0005608810.tif 000018
【図５】
0005608810.tif 000019